(57)【要約】【課題】新たな飲料容器を装着するまでの間であっても使用不能になることがなく、しかも新たな飲料容器の装着作業を容易に行うことのできる飲料ディスペンサを提供する。【解決手段】飲料ディスペンサ１に複数（本実施形態では２個）の飲料容器１０を飲料注入口２，３にそれぞれ着脱自在に装着するとともに、各飲料容器１０から飲料貯溜部２０側への飲料水ＷＡの流路をそれぞれ開閉可能な電磁弁６，７をそれぞれ設け、各電磁弁６，７をどちらか一方を開放している時に他方を閉鎖するようにして、各飲料容器１０の飲料水ＷＡが片側ずつなくなるようにしたので、どちらか一方の飲料容器１０内の飲料水ＷＡがなくなった際は他方の飲料容器１０の飲料水ＷＡを流通させることにより、新たな飲料容器１０を装着するまでの間であっても使用不能となることがない。【選択図】図１
2006044698.tif 000002
【特許請求の範囲】
【請求項１】
飲料を収容した飲料容器が着脱自在に装着される飲料ディスペンサ本体と、飲料容器から供給される飲料を加熱または冷却して貯溜する飲料貯溜部と、飲料貯溜部内の飲料を外部に吐出可能な吐出弁とを備え、飲料ディスペンサ本体に飲料貯溜部へ飲料を流通可能な飲料注入口を設け、飲料注入口と飲料容器の飲料抽出口とを着脱自在に連結するようにした飲料ディスペンサにおいて、
前記飲料ディスペンサ本体に複数の飲料注入口を設けるとともに、
任意の飲料注入口が飲料貯溜部に連通するように飲料の流路を切換可能な切換手段を備えた
ことを特徴とする飲料ディスペンサ。
【請求項２】
何れの飲料注入口が飲料貯溜部に連通しているかを表示する表示手段を設けた  
ことを特徴とする請求項１記載の飲料ディスペンサ。
【請求項３】
前記各飲料容器から飲料貯溜部側への飲料の流通を検知する流通検知手段と、
流通検知手段によって飲料の流通が検知されなくなると、飲料容器から飲料貯溜部への飲料の流路が他の流路に切換わるように切換手段を制御する制御手段とを備えた
ことを特徴とする請求項１または２記載の飲料ディスペンサ。
【請求項４】
前記流通検知手段によって飲料の流通が検知されなくなった飲料容器内に飲料が収容されていないことを表示する表示手段を備えた
ことを特徴とする請求項３記載の飲料ディスペンサ。
【請求項５】
全ての飲料容器に飲料水が収容されていないことを表示する表示手段を備えた
ことを特徴とする請求項３または４記載の飲料ディスペンサ。
【請求項６】
前記各飲料容器側から飲料貯溜部側に飲料を流通させる電動ポンプを設け、
前記流通検知手段を、電動ポンプの駆動電流が所定の大きさ以上の電流値か否かにより飲料の流通を検知するように構成した
ことを特徴とする請求項３、４または５記載の飲料ディスペンサ。
【請求項７】
前記切換手段を、各飲料容器から飲料貯溜部への飲料の流路にそれぞれ設けられた電磁弁によって形成した
ことを特徴とする請求項１、２、３、４、５または６記載の飲料ディスペンサ。
【発明の詳細な説明】
【技術分野】
【０００１】
本発明は、例えば、ミネラルウォータ等の飲料水を収容した飲料容器を用いるとともに、飲料を冷却または加熱して吐出弁の操作により任意に吐出させる飲料ディスペンサに関するものである。
【背景技術】
【０００２】
一般に、飲料ディスペンサとしては、飲料容器がその飲料抽出口を下方に向けて着脱自在に装着される飲料ディスペンサ本体と、飲料容器から供給される飲料を加熱または冷却する飲料貯溜部と、飲料貯溜部から飲料を任意に吐出するための吐出弁と、飲料貯溜部側から吐出弁側に飲料を流通させるポンプとを備え、吐出弁の操作によりポンプが作動して、吐出弁から飲料を吐出するようにしたものが知られている（例えば、特許文献１参照）。
【特許文献１】特開２０００−８５８９３号公報
【発明の開示】
【発明が解決しようとする課題】
【０００３】
しかしながら、前記飲料ディスペンサにおいて、飲料容器内の飲料がなくなった場合には、新たな飲料容器を飲料ディスペンサ本体に装着するまでは使用不能となり、利用者への利便性を低下させるという問題点があった。
【０００４】
また、飲料容器の交換頻度を低減するためには飲料容器の容量を大きくする必要があるが、一般に飲料容器は飲料ディスペンサ本体の上部に装着されるようになっているため、大きい容量の飲料容器は重量が重く交換作業が困難であり、実用的ではないという問題点があった。
【０００５】
本発明は前記問題点に鑑みてなされたものであり、その目的とするところは、新たな飲料容器を装着するまでの間であっても使用不能になることがなく、しかも新たな飲料容器の装着作業を容易に行うことのできる飲料ディスペンサを提供することにある。
【課題を解決するための手段】
【０００６】
本発明は前記目的を達成するために、飲料を収容した飲料容器が着脱自在に装着される飲料ディスペンサ本体と、飲料容器から供給される飲料を加熱または冷却して貯溜する飲料貯溜部と、飲料貯溜部内の飲料を外部に吐出可能な吐出弁とを備え、飲料ディスペンサ本体に飲料貯溜部へ飲料を流通可能な飲料注入口を設け、飲料注入口と飲料容器の飲料抽出口とを着脱自在に連結するようにした飲料ディスペンサにおいて、前記飲料ディスペンサ本体に複数の飲料注入口を設けるとともに、任意の飲料注入口が飲料貯溜部に連通するように飲料の流路を切換可能な切換手段を備えている。
【０００７】
これにより、飲料ディスペンサ本体に装着した複数の飲料容器のうち一部の飲料容器の飲料がなくなった場合でも、切換手段によって飲料の流路を切換えることにより、他の飲料容器から飲料貯溜部へ飲料が供給される。また、複数の飲料容器を飲料ディスペンサ本体に装着することができるので、各飲料容器に容量の小さい容器を用いることが可能となる。
【発明の効果】
【０００８】
本発明の飲料ディスペンサによれば、複数の飲料容器のうち一部の飲料容器の飲料がなくなった場合でも、他の飲料容器から飲料貯溜部へ飲料が供給されるので、新たな飲料容器を装着するまでの間であっても使用不可になることがなく、利用者への利便性を向上させることができる。また、一つの飲料容器に容量の小さいものを用いることができるので、新たな飲料容器の飲料ディスペンサ本体への装着作業を容易に行うことができる。
【発明を実施するための最良の形態】
【０００９】
図１乃至図５は本発明の一実施形態を示すもので、図１は飲料ディスペンサの一部断面正面図、図２は一方の飲料容器の飲料水がなくなった状態の飲料ディスペンサの一部断面正面図、図３は各飲料容器の飲料水がなくなった状態の飲料ディスペンサの一部断面正面図、図４は各電磁弁の制御系を示すブロック図、図５は制御部の動作を示すフローチャートである。
【００１０】
この飲料ディスペンサは、飲料ディスペンサ本体１と、飲料ディスペンサ本体１の上部に取付けられる複数（本実施形態では２個）の飲料容器１０と、各飲料容器１０から供給される飲料水ＷＡを加熱する飲料貯溜部２０と、各飲料容器１０側から飲料貯溜部２０側に飲料水ＷＡを流通させる電動ポンプ３０と、飲料貯溜部２０から飲料水ＷＡを任意に吐出するための吐出弁４０とを備えており、各飲料容器１０は飲料ディスペンサ本体１の上部に設けられた飲料注入口２，３にそれぞれ着脱自在に装着されている。
【００１１】
飲料ディスペンサ本体１は内部に飲料貯溜部２０を収容可能な中空部を有する箱状に形成されている。
【００１２】
飲料注入口２は連結部材２ａを有し、連結部材２ａの内周側にはネジ部２ｂが形成されている。また、連結部材２ａの内側から電動ポンプ３０側に飲料水ＷＡを流通させるために、ウレタン材料などから形成された可撓性のチューブ状部材からなる連通管４が設けられている。さらに、連結部材２ａの内側に飲料注入口２の下側から空気を吸入するための逆止弁２ｃ及びフィルタ２ｄが設けられている。
【００１３】
飲料注入口３は連結部材３ａを有し、連結部材３ａの内周側にはネジ部３ｂが形成されている。また、連結部材３ａの内側から電動ポンプ３０側に飲料水ＷＡを流通させるために、ウレタン材料などから形成された可撓性のチューブ状部材からなる連通管５が設けられている。尚、連通管４と連通管５とは、電動ポンプ３０の手前で合流するように形成されている。また、連結部材３ａの内側に飲料注入口３の下側から空気を吸入するための逆止弁３ｃ及びフィルタ３ｄが設けられている。
【００１４】
飲料容器１０は、一端に開口部１０ａを有するプラスチック材料等からなる容器で、開口部１０ａの外周側にはネジ部１０ｂが設けられている。即ち、ネジ部１０ｂと各飲料注入口２，３のネジ部２ｂ、３ｂとが螺合することにより、飲料ディスペンサ本体１の上部に各飲料容器１０が装着される。飲料容器１０は、内部にミネラルウォーターなどの飲料水ＷＡを収容した状態で、ネジ部１０ｂに螺合する図示しないキャップによって開口部１０ａを閉鎖されて販売されている。
【００１５】
連通管４の飲料注入口２と各連通管４，５の合流部との間には第１電磁弁６が設けられ、連通管５の飲料注入口３と各連通管４，５の合流部との間には第２電磁弁７が設けられている。また、各電磁弁６，７は制御手段としての制御部５０によって開閉するようになっている。
【００１６】
飲料貯溜部２０は、内部に飲料水ＷＡを収容するタンク２１と、タンク２１内の飲料水ＷＡを加熱するヒータ２２と、タンク２１内の飲料水ＷＡの温度を測定する温度センサ２３と、タンク２１内と吐出弁４０とを連通する連通管２４と、タンク２１内と電動ポンプとを連通する連通管２５とを備えている。また、タンク２１はバネ部材２６によって飲料ディスペンサ本体１内に吊り下げられるとともに、上方に付勢されている。
【００１７】
タンク２１は両端が閉鎖された円筒形状に形成され、タンク２１の下側をベース部２１ａにより支持されている。ベース部２１ａは飲料ディスペンサ本体１内の底面１ａに接地し、底面１ａに複数本の段付きボルト２１ｂにより上下方向に移動自在に連結されている。
【００１８】
ヒータ２２は周知の電熱器からなり、タンク２１の下側からタンク２１内に突出するように設けられている。
【００１９】
温度センサ２３は熱電対などの周知の機器からなり、タンク２１の上側からタンク２１内に突出するように設けられている。
【００２０】
連通管２４はウレタン材料などから形成された可撓性のチューブ状部材からなり、一端がタンク２１の上側からタンク２１内に突出するように挿入され、他端が吐出弁４０に連通している。
【００２１】
連通管２５はウレタン材料などから形成された可撓性のチューブ状部材からなり、タンク２１の底面と電動モータ３０とを連通している。
【００２２】
バネ部材２６は金属製のコイルスプリングからなり、一端が飲料ディスペンサ本体１内の上面に支持され、他端がタンク２１の上面を支持している。また、連通管２４が飲料水ＷＡに浸るまでタンク２１内に飲料水ＷＡが満たされている時は、ベース部２１ａが飲料ディスペンサ本体１内の底面１ａに接地し、飲料水ＷＡが不足してタンク２１内のヒータ２２が露出した時は、図３に示すようにベース部２１ａが底面１ａから上昇するように、バネ部材２６の付勢力が設定されている。
【００２３】
また、ベース部２１ａの底面にはスイッチ２７が設けられ、ベース部２１ａが飲料ディスペンサ本体１内の底面１ａに接地している時はヒータ２２に電力を供給することができ、ベース部２１ａが底面１ａから上昇した時はヒータ２２への電力供給を遮断するように構成されている。
【００２４】
電動ポンプ３０はベーンポンプ等の内部のロータがモータによって回転する周知の電動ウォーターポンプであり、連通管４，５側からの飲料水ＷＡを飲料貯溜部２０側に流通させるようになっている。尚、電動ポンプ３０のロータには切欠が設けられ、ロータが回転していない時でも重力による飲料水ＷＡの自然な流通を許容するようになっている。また、電動ポンプ３０は電動ポンプ３０内の飲料水ＷＡの流通の有無を検知する検知手段３１を備えている。検知手段３１は周知の電流計からなり、電動ポンプ３０の駆動電流の差によって、電動ポンプ３０内の飲料水ＷＡの流通の有無を検知するようになっている。即ち、電動ポンプ３０内に飲料水ＷＡが流通している時は、ロータを回転させるモータに所定の負荷が生じ、電動ポンプ３０の駆動電流の電流値が所定の大きさ以上となるが、電動ポンプ３０内に飲料水ＷＡが流通していない時は、駆動電流の電流値が所定の大きさに満たないため、電動モータ３０内の飲料水ＷＡの流通の有無を検知することができる。
【００２５】
吐出弁４０はスピンドルの回転により流路を開閉する周知の流量制御弁であり、その吐出口を下に向けて飲料ディスペンサ本体１の側面部に固定されている。また、飲料ディスペンサ本体１の吐出弁４０の下側に飲料用カップを載置する載置台１ｂが設けられている。さらに、吐出弁４０を開放すると電動ポンプ３０のロータが回転するように構成されている。
【００２６】
制御部５０はマイクロコンピュータからなり、図４に示すように、電動ポンプ３０の検知手段３１及び各電磁弁６，７に接続されている。また、制御部５０は、各電磁弁６，７のどちらか一方を開放するとともに他方を閉鎖するように構成されている。
【００２７】
以上のように構成された飲料ディスペンサにおいては、図１に示すように、飲料ディスペンサ本体１の上部の各飲料注入口２，３に、飲料水ＷＡが収容された飲料容器１０がその開口部１０ａを下方に向けてそれぞれ取付けられる。各飲料容器１０の飲料水ＷＡは各連通管４，５によって各電磁弁６，７側に流通し、制御部５０によって各電磁弁６，７のどちらか一方が開放されているため、どちらか一方の飲料容器１０の飲料水ＷＡが電動ポンプ３０に流通する。例えば、第１電磁弁６を開放するとともに第２電磁弁７を閉鎖している場合は、飲料注入口２に連結された飲料容器１０の飲料水ＷＡが電動ポンプ３０に流通し、電動ポンプ３０のロータが停止している状態で、ロータに設けられた切欠から飲料水ＷＡが飲料貯溜部２０側に流通し、連通管２４が飲料水ＷＡに浸るまでタンク２１内に飲料水ＷＡが流入する。
【００２８】
この状態で吐出弁４０を開放すると、吐出弁４０の開放によって電動ポンプ３０のロータが回転し、電動ポンプ３０によって飲料水ＷＡが飲料貯溜部２０側に流通することにより、飲料貯溜部２０内の飲料水ＷＡが吐出弁４０から吐出される。
【００２９】
図２に示すように、飲料注入口２に取付けられた飲料容器１０の飲料水ＷＡがなくなり、電動ポンプ３０内に飲料水ＷＡが流通しなくなると、電動ポンプ３０のモータの負荷が軽減されて駆動電流の電流値が低下する。よって、検知手段３１によって電動ポンプ３０内の飲料水ＷＡの流通が検知されなくなり、制御部５０によって第１電磁弁６が閉鎖されるとともに第２電磁弁７が開放される。この際の制御部５０の動作について図５に示すフローチャートを参照して説明すると、制御部５０が第１電磁弁６を開放するとともに第２電磁弁７を閉鎖している場合において、検知手段３１によって電動ポンプ３０内の飲料水ＷＡの流通が検知されなくなると（Ｓ１）、開放していた第１電磁弁６を閉鎖するとともに、閉鎖していた第２電磁弁７を開放する（Ｓ２）。これにより、電動ポンプ３０側に飲料注入口３に取付けられた飲料容器１０の飲料水ＷＡが流通するようになる。
【００３０】
飲料注入口３に取付けられた飲料容器１０の飲料水ＷＡを飲料貯溜部２０に流通させている間に、飲料注入口２の飲料容器１０を新たな飲料容器１０に交換することができる。よって、次に飲料注入口３に取付けられた飲料容器１０の飲料水ＷＡがなくなった際に、制御部５０によって第２電磁弁７が閉鎖されるとともに第１電磁弁６が開放され、飲料注入口２に連結された飲料容器１０の飲料水ＷＡが電動ポンプ３０側に流通するようになる。即ち、どちらか一方の飲料容器１０の飲料水ＷＡがなくなると、他方の飲料容器１０の飲料水ＷＡを流通させるようになっている。
【００３１】
ここで、例えば飲料容器１０の交換を行わないために各飲料容器１０の飲料水
ＷＡがなくなると、タンク２１内の水位が低下して連通管２４に飲料水ＷＡが流通しなくなり、さらには、ヒータ２２が飲料水ＷＡから露出する。この時、飲料貯溜部２０が軽くなり、バネ部材２６により飲料貯溜部２０のベース部２１ａが飲料ディスペンサ本体１内の底面１ａから上昇し、スイッチ２７によりヒータ２２への電力供給が遮断されるようになっている。即ち、飲料容器１０の交換を忘れて飲料貯溜部２０の水位が低下しても、ヒータ２２の空焚きによる劣化を防止することができる。
【００３２】
このように、本実施形態の飲料ディスペンサによれば、飲料ディスペンサ１に複数（本実施形態では２個）の飲料容器１０を飲料注入口２，３にそれぞれ着脱自在に装着するとともに、各飲料容器１０から飲料貯溜部２０側への飲料水ＷＡの流路をそれぞれ開閉可能な電磁弁６，７をそれぞれ設け、各電磁弁６，７をどちらか一方を開放している時に他方を閉鎖するようにして、各飲料容器１０の飲料水ＷＡが片側ずつなくなるようにしたので、どちらか一方の飲料容器１０の飲料水ＷＡがなくなった際は、各電磁弁６，７の開閉をそれぞれ切換えて他方の飲料容器１０の飲料水ＷＡを流通させることにより、新たな飲料容器１０を装着するまでの間であっても使用不能となることがない。
【００３３】
また、飲料水ＷＡがなくなった方の飲料容器１０を交換する際には他方の飲料容器１０から飲料貯溜部２０に飲料水ＷＡが供給されるようにしたので、飲料容器１０を交換する作業を急がなくても、すぐに飲料ディスペンサが使用不能となることはない。よって、各飲料容器に容量の小さなものを用いることが可能となり、飲料容器１０の交換作業が容易となる。
【００３４】
尚、本実施形態では飲料容器１０を２個装着するようにしたが、３個以上装着するようにしても良い。これにより、各飲料容器１０の容量をさらに小さくすることが可能となり、飲料容器１０の交換作業がより容易になる。
【００３５】
さらに、各飲料容器１０内の飲料水ＷＡの有無を電動ポンプ３０に設けた検知手段３１によって検知し、検知手段３１によって電動ポンプ３０内の飲料水ＷＡの流通が検知されなくなると、制御部５０によって各電磁弁６，７の開閉をそれぞれ切換えるようにしたので、一方の飲料容器１０の飲料水ＷＡがなくなると他方の飲料容器１０の飲料水ＷＡが自動的に流通し、飲料ディスペンサが使用不能になることを確実に防止できる。
【００３６】
また、検知手段３１によって、電動ポンプ３０の駆動電流の差で各飲料容器１０内の飲料水ＷＡの有無を検知するようにしたので、飲料水ＷＡの流路に設ける流量計のように飲料水ＷＡに直接接触する機器を新たに設ける必要がなく、飲料水ＷＡの流通を検知する手段によって飲料水ＷＡの味を低下させることがない。
【００３７】
尚、飲料容器１０は飲料水ＷＡを収容することが可能で、開口部１０ａの外周側にネジ部１０ｂが設けられたものであれば良いため、市販されている飲料水ＷＡ入りのペットボトルを用いることも可能である。飲料水ＷＡ入りのペットボトルは市場に多く流通しているため入手しやすく、また、容量の選択の幅も広いため、飲料ディスペンサ本体への飲料容器１０の装着をより容易にするため、容量の小さいものを選定することも可能である。
【００３８】
さらに、本実施形態では、飲料貯溜部２０内の飲料水ＷＡをヒータ２２により加熱するものを示したが、ヒータ２２の代わりに蒸発器などの冷却器を用いて、飲料貯溜部２０内の飲料水ＷＡを冷却するようにしてもよい。また、飲料貯溜部２０を複数個用いて、一部の飲料貯溜部２０の飲料水ＷＡを加熱するとともに、その他の飲料貯溜部２０の飲料水ＷＡを冷却するようにしてもよい。
【００３９】
尚、図６に示すように、各電磁弁６，７の開閉状態を示すため、表示手段としての第１ＬＥＤ６０及び第２ＬＥＤ６１を設けることも可能である。即ち、各ＬＥＤ６０，７０は制御部５０に接続され、第１電磁弁６が開放されている際には第１ＬＥＤ６０が点灯し、第１電磁弁６が閉鎖されている際には第１ＬＥＤ６０が非点灯となるとともに、第２電磁弁７が開放されている際には第２ＬＥＤ６１が点灯し、第２電磁弁７が閉鎖されている際には第２ＬＥＤ６１が非点灯となるように構成されている。
【００４０】
この際の制御部５０の動作について図７に示すフローチャートを参照して説明すると、例えば、制御部５０が第１電磁弁６を開放するとともに第２電磁弁７を閉鎖し、また、第１ＬＥＤ６０を点灯するとともに第２ＬＥＤを非点灯としている場合において、検知手段３１によって電動ポンプ３０内の飲料水ＷＡの流通が検知されなくなると（Ｓ１０）、開放していた第１電磁弁６を閉鎖するとともに、閉鎖していた第２電磁弁７を開放する（Ｓ１１）。この際、第１ＬＥＤ６０を非点灯にするとともに、第２ＬＥＤを点灯する（Ｓ１２）。
【００４１】
このように、各電磁弁６，７の開閉状態を各ＬＥＤ６０，６１で示すようにすると、各飲料容器１０内を目視することができない場合でも、各電磁弁６，７の開閉状態を確実に見分けることができる。
【００４２】
尚、図８に示すように、各飲料容器１０の飲料水ＷＡの有無を示すため、表示手段としての第３ＬＥＤ６２及び第４ＬＥＤ６３を設けることも可能である。即ち、各ＬＥＤ６２，６３は各飲料容器１０に対応してそれぞれ設けられるとともに制御部５０にそれぞれ接続され、各電磁弁６，７の開閉を切換えた際に、その直前に飲料水ＷＡを飲料貯溜部２０に供給していた飲料容器１０側のＬＥＤを点灯するように構成されている。
【００４３】
この際の制御部５０の動作について図９に示すフローチャートを参照して説明すると、例えば、制御部５０が第１電磁弁６を開放するとともに第２電磁弁７を閉鎖し、また、第３ＬＥＤ６２は第１電磁弁６側の飲料容器１０の飲料水ＷＡの有無を示すように構成されるとともに、第４ＬＥＤ６３は第２電磁弁７側の飲料容器１０の飲料水ＷＡの有無を示すように構成されている場合において、検知手段３１によって電動ポンプ３０内の飲料水ＷＡの流通が検知されなくなると（Ｓ２０）、開放していた第１電磁弁６を閉鎖するとともに、閉鎖していた第２電磁弁７を開放する（Ｓ２１）。この際、第１電磁弁６側の飲料容器１０の飲料水ＷＡの有無を示す第３ＬＥＤ６２を点灯させる（Ｓ２２）。尚、第３ＬＥＤ６２及び第４ＬＥＤ６３は外部から制御部５０を操作することにより非点灯になるように構成されており、飲料容器１０を新たな飲料容器１０に交換する作業者によって操作される。
【００４４】
このように、各飲料容器１０の飲料水ＷＡの有無を各ＬＥＤ６２，６３で示すようにすると、各飲料容器１０内を目視することができない場合でも、各飲料容器１０の飲料水ＷＡの有無を確実に見分けることができる。
【００４５】
さらに、図１０に示すように、各飲料容器１０の飲料水ＷＡが両方ともなくなった場合に点灯する表示手段としての第５ＬＥＤ６４を設けることも可能である。第５ＬＥＤ６４は制御部５０に接続され、各飲料容器１０の飲料水ＷＡがなくなった場合、即ち、各ＬＥＤ６２，６３が両方点灯した場合に点灯するように構成されている。
【００４６】
この際の制御部５０の動作について図１１に示すフローチャートを参照して説明すると、例えば、制御部５０が第１電磁弁６を開放するとともに第２電磁弁７を閉鎖し、また、第３ＬＥＤ６２は第１電磁弁６側の飲料容器１０の飲料水ＷＡの有無を示すように構成されるとともに、第４ＬＥＤ６３は第２電磁弁７側の飲料容器１０の飲料水ＷＡの有無を示すように構成されている場合において、検知手段３１によって電動ポンプ３０内の飲料水ＷＡの流通が検知されなくなると（Ｓ３０）、開放していた第１電磁弁６を閉鎖するとともに、閉鎖していた第２電磁弁７を開放する（Ｓ３１）。この際、第１電磁弁６側の飲料容器１０の飲料水ＷＡの有無を示す第３ＬＥＤを点灯させる（Ｓ３２）。
【００４７】
この状態で飲料容器１０の交換をすることなく、再び検知手段３１によって電動ポンプ３０内の飲料水ＷＡの流通が検知されなくなると、（Ｓ３３）、開放していた第２電磁弁７を閉鎖するとともに、閉鎖していた第１電磁弁６を開放する（Ｓ３４）。この際、第２電磁弁７側の飲料容器１０の飲料水ＷＡの有無を示す第４ＬＥＤを点灯させる（Ｓ３４）。これにより、各ＬＥＤ６２，６３が点灯するため（Ｓ３５）、各飲料容器１０の飲料水ＷＡが両用ともなくなったことを示す第５ＬＥＤ６４を点灯させる（Ｓ３６）。
【００４８】
このように、各飲料容器１０の飲料水ＷＡが両方ともなくなったことを第５ＬＥＤ６４で示すようにすると、各飲料容器１０内を目視することができない場合でも、飲料ディスペンサが使用不能となったことを確実に見分けることができる。
【図面の簡単な説明】
【００４９】
【図１】本発明の一実施形態を示す飲料ディスペンサの一部断面正面図
【図２】一方の飲料容器の飲料水がなくなった状態の飲料ディスペンサの一部断面正面図
【図３】各飲料容器の飲料水がなくなった状態の飲料ディスペンサの一部断面正面図
【図４】各電磁弁の制御系を示すブロック図
【図５】制御部の動作を示すフローチャート
【図６】本実施形態の変形例を示す制御系のブロック図
【図７】本実施形態の変形例の制御部の動作を示すフローチャート
【図８】本実施形態の他の変形例を示す制御系のブロック図
【図９】本実施形態の他の変形例の制御部の動作を示すフローチャート
【図１０】本実施形態のさらに他の変形例を示す制御系のブロック図
【図１１】本実施形態のさらに他の変形例の制御部の動作を示すフローチャート
【符号の説明】
【００５０】
１…飲料ディスペンサ本体、２…飲料注入口、３…飲料注入口、４…連通管、５…連通管、６…第１電磁弁、７…第２電磁弁、１０…飲料容器、１０ａ…開口部、１０ｂ…ネジ部、２０…飲料貯溜部、２１…タンク、２２…ヒータ、２３…温度センサ、２４…連通管、２５…連通管、２６…バネ部材、２７…スイッチ、３０…電動ポンプ、３１…検知手段、４０…吐出弁、５０…制御部、６０…第１ＬＥＤ、６１…第２ＬＥＤ、６２…第３ＬＥＤ、６３…第４ＬＥＤ、６４…第５ＬＥＤ、ＷＡ…飲料水。
【図１】
2006044698.tif 000003
【図２】
2006044698.tif 000004
【図３】
2006044698.tif 000005
【図４】
2006044698.tif 000006
【図５】
2006044698.tif 000007
【図６】
2006044698.tif 000008
【図７】
2006044698.tif 000009
【図８】
2006044698.tif 000010
【図９】
2006044698.tif 000011
【図１０】
2006044698.tif 000012
【図１１】
2006044698.tif 000013